(57)【要約】【課題】  箸の素材の２またはそれ以上の面に開口する貫通孔に合成樹脂塗料を充填固化させ、貫通孔の開口の固化体の面を模様とする。また、固化体の中に小物体を内包させ、その小物体を固化体の中で輝くのを透視できるようにした箸を提供する。【解決手段】  箸の素材１に２またはそれ以上の面に開口する貫通孔を設け、該貫通孔に、合成樹脂塗料３を充填固化させて固化体３ａとし、前記箸の素材１および前記固化体３ａの表面を磨くことにより、貫通孔から顕出する固化体３ａが模様を形成する箸とする。  合成樹脂塗料を透明または半透明の材料を用い、その合成樹脂塗料に小物体を含ませ、それを箸の２またはそれ以上の複数の面に開口する貫通孔に充填固化し、前記開口における合成樹脂塗料の固化体の面から内部の小物体が透視できる箸とする。【選択図】  図４
2006068433.tif 000002
【特許請求の範囲】
【請求項１】
箸の３またはそれ以上の複数の面に開口する貫通孔に合成樹脂塗料を充填固化し、前記開口における合成樹脂塗料の固化体が模様を形成してなる箸。
【請求項２】
透明または半透明の合成樹脂塗料に小物体を含ませ、それを箸の２またはそれ以上の複数の面に開口する貫通孔に充填固化し、前記開口における合成樹脂塗料の固化体の面から内部の小物体が透視できる箸。
【請求項３】
箸の素材に３またはそれ以上の面に開口する貫通孔を設け、該貫通孔に、合成樹脂塗料を充填固化させて固化体とし、前記箸の素材および前記固化体の表面を磨くことにより、前記固化体が模様を形成することを特徴とする箸の模様形成方法。
【発明の詳細な説明】
【技術分野】
【０００１】
この発明は、箸の握り部分またはその上部に２乃至４面に開口する孔にアクリル樹脂、エポキシ樹脂等合成樹脂塗料（以下樹脂塗料と言う）を充填して模様を形成した箸およびその模様の形成方法に関する。更に充填する樹脂塗料を透明または半透明のものを用い、樹脂の中に小さな乾燥フラワーやビーズ玉等小物体を内包させて模様とした箸およびその形成方法に関するものである。
【背景技術】
【０００２】
従来の箸は、特許文献１に記載されているように、着色塗料によって模様が描かれている。
【特許文献１】特開２００３−１３５２４１（０００２の従来の技術および発明が解決しようと                                    する課題）
【発明の開示】
【発明が解決しようとする課題】
【０００３】
この発明は、箸に貫通孔を形成し、そこに樹脂塗料を充填固化させて模様とした箸、または、透明または半透明の樹脂塗料の中に小物体を内包させて貫通孔に充填固化させて、その小物体を透視しうる新しい模様のある箸を提供することを目的とする。
【課題を解決するための手段】
【０００４】
箸の３またはそれ以上の複数の面に開口する貫通孔に樹脂塗料を充填固化し、前記開口における樹脂塗料の固化体を箸の模様とする。
【０００５】
透明または半透明の樹脂塗料に小物体を含ませ、それを箸の２またはそれ以上の複数の面に開口する貫通孔に充填固化し、前記開口における樹脂塗料の固化体の面から内部の小物体が透視できる箸とする。
【０００６】
箸の素材に３またはそれ以上の面に開口する貫通孔を設け、該貫通孔に、樹脂塗料を充填固化させて固化体とし、前記箸の素材および前記固化体の表面を磨くことにより、前記固化体で模様を形成する。
【発明の効果】
【０００７】
箸の複数の面で開口する貫通孔に充填して固化した樹脂塗料の固化体が貫通孔の面で光を受けて輝いて箸の模様を形成する。
樹脂塗料の固化体が透明または半透明で、内部に小物体を含む場合には、その小物体が透けて美しく輝く模様となる。
【発明を実施するための最良の形態】
【０００８】
木、竹、プラスチック製の棒体で、先細りの断面多角形の箸素材１を作り、その中間または太い側（頭部）の先端寄りに図１に示すとおり貫通孔２を設ける。
貫通孔２は対向する面に開口する。
貫通孔２の開口形状は限定しない。
【０００９】
次いで、図２に示すように、貫通孔２に連通して他の一面に開口する孔を設けることにより３面に開口する貫通孔４を形成する。
【００１０】
または、図３に示すように、貫通孔２に交叉して貫通孔２ａを設け、連通した貫通孔２と２ａとで４面に開口する貫通孔５を設ける。
貫通孔５の形成方法は上記の方法に限定せず、他の方法で形成してもよい。
【００１１】
箸素材１が、断面が４辺以上の多角形の場合には、それら各面に開口する貫通孔を設けるか、または、全ての面に開口するのではなく、何れかの２面またはそれ以上の面に開口する貫通孔を設けてもよい。
【００１２】
次いで、貫通孔４、５またはその他の貫通孔に樹脂塗料３を充填し、自然または強制乾燥させて樹脂塗料３を固化体３ａとする。
貫通孔に充填した樹脂塗料３が、貫通孔外へ流出しないように、開口に当て板を当てる等流出防止手段を施す。
樹脂塗料３は固化後に透明のもの、または、薄い着色料を混合して固化後に半透明となるものが好ましい。
【００１３】
次の工程で、箸素材１の表面や角等を削り、箸素材１および固化体３ａの表面を磨き、付着した粉末を拭う。
次いで、表面に化学樹脂塗料等を塗布し、布等で磨く。その際に、固化体３の表面に付着した化学樹脂塗料等を除く。
【００１４】
塗料等の塗布の際に頭部端を工具で挟持した部分には塗料等が塗布されていないので、その部分を切断し、切断面に塗料等を塗布する。
【００１５】
完成した箸には、固化体３ａが貫通して嵌め込まれており、貫通孔の開口の面で光により美しく輝く。
貫通孔４に充填された樹脂塗料３の固化体３ａは、箸の３面で輝く。貫通孔５に充填され対向する固化体３ａは、箸の４面で輝き、箸がどのように置かれても、どの視線角度からでも固化体（３）の輝く面を見ることができる。
その他の貫通孔充填された樹脂塗料３の固化体３ａは、貫通孔の開口面で輝く。
【００１６】
断面多角形の箸素材１に、その２またはそれ以上の面に開口する貫通孔を設け、固化後に透明または半透明の固化体となる樹脂塗料に、小さなドライフラワーや、ガラス、石、貝殻、プラスチックの小粒等の小物体を混ぜて、それを貫通孔に充填し、固化させる。
次いで、箸素材１の表面や角等を削り、表面に化学樹脂塗料等を塗布し、布等で磨く。その際に、固化体３ａの表面に付着した化学樹脂塗料等を除く。先の実施例の場合と同様に、頭部を成形し、箸を完成させる。
完成した箸では、固化体３ａの中で小物体が輝いて美観を呈する。
【図面の簡単な説明】
【００１７】
【図１】貫通孔を設けた箸の素材の要部斜視図である。
【図２】他の実施の形態の貫通孔を設けた箸の素材の（Ａ）は要部斜視図、（Ｂ）はその断面図である。
【図３】他の実施の形態の貫通孔を設けた箸の素材の（Ａ）は要部斜視図、（Ｂ）はその断面図である。
【図４】（Ａ）は貫通孔に樹脂塗料を充填し固化させた箸の素材の要部斜視図、（Ｂ）はその断面図である。
【図５】貫通孔に樹脂塗料を充填し固化させた箸の素材を研磨した状態を示す要部斜視図である。
【符号の説明】
【００１８】
１  箸素材
２  貫通孔
３  樹脂塗料
３ａ  固化体
４  貫通孔
５  貫通孔
【図１】
2006068433.tif 000003
【図２】
2006068433.tif 000004
【図３】
2006068433.tif 000005
【図４】
2006068433.tif 000006
【図５】
2006068433.tif 000007